(57)【要約】【課題】測定再現性を向上させることを可能にするとともに、参照電極側からの浸水を防止して、測定部の破損を防止することを可能にした参照電極が着脱自在の複合電極を提供する。【解決手段】先端に液絡部１１を備えた参照電極１と、先端部に化学的変化量を検出するセンサ２１を備え、参照電極１を保持する筒状体２とを有する複合電極であり、筒状体２に参照電極１を挿入する方向に沿って移動可能に構成してある測定ユニット３２を挿入し、測定ユニット３２を押すことによって、測定ユニット３２の先端部より参照電極１が押し出され、参照電極１を着脱自在に構成してあることを特徴とする複合電極。【選択図】図１
2004333304.tif 000002
【特許請求の範囲】
【請求項１】
先端に液絡部を備えた参照電極と、先端部に化学的変化量を検出するセンサを備え、前記参照電極を保持する筒状体とを有する複合電極であり、前記筒状体に前記参照電極を挿入する方向に沿って移動可能に構成してある測定ユニットを挿入し、前記測定ユニットを押すことによって、前記測定ユニットの先端部より前記参照電極が押し出され、前記参照電極を着脱自在に構成してあることを特徴とする複合電極。
【請求項２】
前記測定ユニットの先端部に参照電極接触導体を設けてあるとともに、前記参照電極の後端部に棒状の参照電極接続端子を設け、この参照電極接続端子を前記参照電極接触導体に接触して前記液絡部と前記測定ユニットとが電気的に接続するように構成してあることを特徴とする請求項１記載の複合電極。
【請求項３】
前記参照電極の側面及び前記筒状体の中空部に前記参照電極の固定手段を設けてあることを特徴とする請求項１又は２記載の複合電極。
【請求項４】
前記参照電極固定手段は、前記筒状体に前記参照電極を装着するシール部を、前記参照電極の側面に少なくとも一箇所設けてあるとともに、これに対応する参照電極ロック部を、前記筒状体の中空部に設けてあり、これらが係合可能に構成してあることを特徴とする請求項３記載の複合電極。
【請求項５】
前記参照電極接触導体は弾性を有することを特徴とする請求項１乃至４のいずれかに記載の複合電極。
【請求項６】
前記参照電極接触導体を板バネで構成してあることを特徴とする請求項５記載の複合電極。
【請求項７】
前記筒状体の後部にカバー胴体を設け、このカバー胴体内に前記測定ユニットを設けてあることを特徴とする請求項１乃至６のいずれかに記載の複合電極。
【発明の詳細な説明】
【０００１】
【発明の属する技術分野】
本発明は、例えば、水素イオン指数などの化学的変化量を検出・測定する複合電極に関するものである。
【０００２】
【従来の技術】
従来の参照電極１が着脱自在な複合電極の要部を図４及び図５に示す。構成は以下の通りである。この従来例は、先端に液絡部１１を備え、後端に参照電極接続端子１４を備えた参照電極１と、先端部に化学的変化量を検出するセンサ２１と参照電極１を保持する中空部２２を備えた筒状体２と、を有する。また、参照電極接続端子１４に嵌着して電気的に接続する雌型同軸ケーブル３３と、この雌型同軸ケーブル３３に接続し、化学的変化量を測定する測定ユニット３２とを備えたカバー胴体３とを有し、このカバー胴体３を筒状体２に一体にしてある。
【０００３】
参照電極１の前部１６の剥き出し部分を後部１７より径を大きくして段差１８を設け、この後部１７の外周にシール部１９を設けてある。一方、筒状体２の前部に板状のセンサ部２６を設け、このセンサ部２６の先端にセンサ２１を設けてある。また、このセンサ部２６の後側に中空部２２を設けてあり、この中空部２２に参照電極１を嵌め合せる参照電極嵌合溝２７を形成してある。
【０００４】
参照電極１を筒状体２のセンサ部２６に沿って通し、参照電極１の後部１７を中空部２２に挿入し、参照電極１の段差１８と筒状体２中空部２２の先端２８とを突き合わせる。これにより、シール部１７が参照電極嵌合溝２７に嵌合し、参照電極１は筒状体２に保持される。これに伴い、参照電極接続端子１４が雌型同軸ケーブル３３に嵌着して、液絡部１１に測定ユニット３２とが電気的に接続する（特許文献１参照。）。
【０００５】
【特許文献１】
特開２０００−３３８０７７公報（第２−３頁、第４図）
【０００６】
【発明が解決しようとする課題】
参照電極１を筒状体２から着脱する場合、このセンサ部２６に沿って参照電極１を通して、参照電極１の後部１７を中空部２２に挿入、並びに、参照電極を中空部２２から離脱するため、参照電極１とセンサ部２６との間に隙間があり、化学的変化量を測定することにより、この隙間に汚れが入り、センサ部２６に汚れが付着する。その結果、測定再現性が得られない問題が生じた。また、複合電極を洗浄する際、センサ部２６の汚れを取り除くために、参照電極１を筒状体２から離脱して、洗浄しなければならず、洗浄液がカバー胴体３の測定部内部に浸水するおそれがあり、この測定部が破損する問題が生じた。
【０００７】
本発明は、上記問題に鑑みてなされたものであり、参照電極の着脱が容易であるとともに、参照電極側からの浸水を防止して、測定部の破損を防止することを可能にした複合電極を提供する。
【０００８】
【課題を解決しようとする手段】
上記目的を達成するためになされた本発明は、参照電極を比較的容易に着脱できるうえ、参照電極の大部分を筒状体に格納可能にしたことにより、参照電極を取り外すことなく、洗浄することができる。
【０００９】
また、本発明は、参照電極の先端部を洗浄するだけで、再度測定が可能となり、測定再現性を容易に維持することができる。
【００１０】
さらに、本発明は、参照電極の先端部を洗浄するだけで、再度測定可能になることから、測定部に洗浄液が浸水するおそれがなくなり、測定部の破損を防止することができる。
【００１１】
【発明の実施の形態】
以下、添付図面を用いて本発明複合電極に係る実施例を説明する。図１乃至図３は本発明に係る複合電極を示す。１は参照電極、１１は液絡部、１２はフランジ、１３はシール部、１４は参照電極接続端子、１５はシール部、２は筒状体、２１はセンサ、２２は中空部、２３はロック部、３はカバー胴体、３１は雌型同軸接触端子、３２は測定ユニット、４はボタンである。
【００１２】
本実施例であるこの複合電極は、先端部に液絡部１１を備え、後端部に棒状の参照電極接続端子１４を備えた参照電極１と、先端部に化学的変化量を検出するセンサ２１と参照電極１を保持する中空部２２を備えた筒状体２と、を有する。また、この複合電極は筒状体２と一体的にカバー胴体３を設けてある。
【００１３】
カバー胴体３内には、化学的変化量を測定する測定ユニット３２を収めてある。また、カバー胴体３の後端部にはボタン４を設けてあり、このボタン４を押すことにより、測定ユニット３２が前へ押されるようにしてある。また、参照電極１で測定ユニット３２を押すことにより、測定ユニット３２が後ろへ押されるようにしてある。この測定ユニット３２の先端部に参照電極接触端子３１を設けてある。この参照電極接触端子３１は板バネで構成し、参照電極接続端子１４と容易に接触するようにしてある。また、参照電極接触端子３１に参照電極接続端子１４が接触することにより、液絡部１１と測定ユニット３２とを電気的に接続可能にしてある。
【００１４】
本発明に係る参照電極１の先端部外周にフランジ１２を設けてある。フランジ１２の筒状体挿入側の面にシール部１３を装着してある。なお、フランジ１２の外周縁の一部を平滑にすることやフランジ１２の筒状体挿入側の面にシール部１３を装着することは必ずしも必要ではない。
【００１５】
参照電極１の側面及び筒状体２の中空部２２に参照電極固定手段を設けてある。具体的構成としては、参照電極１の側面にシール部１５を設けてある。このシール部１５は挿入方向に対して上下対称に一つずつ突起状に設けてある。一方、筒状体２中空部２２先端部にロック部２３を設けてある。このロック部２３は参照電極１の挿入方向に対して、二箇所鍔状に設けてあり、鍔状のロック部２３内にシール部１５が収まると、シール部１５とロック部２３が係合し、参照電極１が筒状体２に固定されるように構成してある。
【００１６】
本実施例に係る複合電極は、以上のように構成してあり、以下のように作用する。先ず、参照電極１を筒状体２に装着する場合は、参照電極１を筒状体２の中空部２２に挿入し、参照電極接続端子１４で測定ユニット３２を押しこむ。測定ユニット３２は後ろを押されて、参照電極１はさらに筒状体２内へ入り込む。参照電極１の側面に設けたシール部１５が筒状体２に設けたロック部２３に係合し、参照電極１が筒状体２に固定される。また、参照電極１の先端のシール部１３は筒状体２の先端２４に圧接し、測定ユニット３２に液体が浸水することを防止する。またこの際、参照電極接続端子１４と参照電極接触端子３１とが接触することにより、液絡部１１と測定ユニット３２が電気的に接続され、化学的変化量を検出・測定することができる。
【００１７】
参照電極１が筒状体２内に格納されると、図３に示すように、液絡部１１のみが筒状体２から突出している状態になる。これにより、参照電極１を取り外すことなく、洗浄することができる。また、容易に洗浄するだけで、再度測定が可能となり、測定再現性を容易に維持することができる。さらに、参照電極１の先端部を洗浄するだけで、再度測定可能になるため、測定ユニット３２に液体が浸水するおそれがなくなり、測定部の破損を防止することができる。
【００１８】
一方、参照電極１を筒状体２から取り外す場合は、カバー胴体３の後端部に設けたボタン４を押すことにより、測定ユニット３２は前へ押される。測定ユニット３２が押されることにより、シール部１５とロック部２３との係合が解かれ、参照電極１が前へ押される。参照電極１が筒状体２から押し出されると、参照電極接続端子１４と参照電極接触端子３１とが係合した状態が解除され、液絡部１１と測定回路との電気的接続が解かれる。
【００１９】
参照電極１を引っ張り出すことにより、参照電極１は容易に筒状体２から外れ、図１に示すように、参照電極１を筒状体２から離脱することができる。
【００２０】
【発明の効果】
本発明によれば、参照電極を比較的容易に着脱できるうえ、参照電極の大部分を筒状体に格納可能にしたことにより、参照電極を取り外すことなく、洗浄することができる効果がある。
【００２１】
また、本発明は、参照電極の先端部を洗浄するだけで、再度測定が可能となり、測定再現性を容易に維持することができる効果がある。
【００２２】
さらに、本発明は、参照電極の先端部を洗浄するだけで、再度測定可能になることから、測定部に洗浄液が浸水するおそれがなくなり、測定部の破損を防止することができる効果がある。
【図面の簡単な説明】
【図１】本発明に係る一実施例における参照電極を取り外した場合の側面断面図である。
【図２】図１図示実施例における参照電極を筒状体に挿入する際の側面断面図である。
【図３】図１図示実施例における参照電極を筒状体に装着した場合の側面断面図である。
【図４】従来例を示す側面断面図である。
【図５】図４図示従来例における参照電極を取り外した場合の側面断面図である。
【符号の説明】
１  参照電極
１１  液絡部
１２  フランジ
１３  シール部
１４  参照電極接続端子
１５  シール部
２  筒状体
２１  センサ
２２  中空部
２３  ロック部
３  カバー胴体
３１  参照電極接触導体
３２  測定ユニット
４  ボタン
【図１】
2004333304.tif 000003
【図２】
2004333304.tif 000004
【図３】
2004333304.tif 000005
【図４】
2004333304.tif 000006
【図５】
2004333304.tif 000007